(57)【要約】【課題】色ズレの発生を抑制する画像形成装置を提供する。【解決手段】トナー像を保持する、配列された複数の像保持体と、周回移動しながら複数の像保持体上のトナー像の転写を受ける帯状体とを有し、帯状体の移動方向について複数の像保持体のうちで最上流側に位置する第１の像保持体と、複数の像保持体のうちで２番目に上流側に位置する第２の像保持体との間に設けられ、帯状体に転写されたトナー像を形成しているトナーに対し電荷を付与する電荷付与部と、複数の像保持体のうちの移動方向最下流側に位置する第３の像保持体よりもさらに下流であって、かつ用紙への２次転写位置よりも上流側において、複数の像保持体上にそれぞれ形成されて帯状体上に重なるように転写された複数のトナー像からなる重ね合わせトナー像中の電荷付与部で電荷が付与されたトナーを、該帯状体表面から離れる向きに移動させる力を生じさせる電界を付与する電界付与部とを備えた。【選択図】図１
2014085381.tif 000002
【特許請求の範囲】
【請求項１】
トナー像の形成を受けて形成されたトナー像を保持する、配列された複数の像保持体と、
前記複数の像保持体に沿って延在し、周回移動しながら該複数の像保持体上に保持されたトナー像の転写を受ける帯状体と、
前記複数の像保持体上に、各像保持体に応じた種類のトナーによるトナー像を形成する像形成部と、
前記複数の像保持体上にそれぞれ形成された複数のトナー像を前記帯状体上に順次重なるように転写する一次転写部と、
前記帯状体上に順次重なるように転写された複数のトナー像からなる重ね合わせトナー像を用紙上に転写する二次転写部と、
前記二次転写部により用紙上に転写された重ね合わせトナー像を該用紙上に定着する定着部と、
前記帯状体の前記複数の像保持体に沿って延在する部分の移動方向について前記複数の像保持体のうちで最上流側に位置する第１の像保持体と、前記複数の像保持体のうちで２番目に上流側に位置する第２の像保持体との間に設けられ、前記帯状体に転写されたトナー像を形成しているトナーに対し電荷を付与する電荷付与部と、
前記帯状体の周回移動方向について、前記複数の像保持体のうちの前記移動方向最下流側に位置する第３の像保持体よりもさらに下流であって、かつ前記二次転写部よりも上流側において、前記複数の像保持体のうちの前記第１の像保持体を含む複数の像保持体上にそれぞれ形成されて前記帯状体上に重なるように転写された複数のトナー像からなる重ね合わせトナー像中の前記電荷付与部で電荷が付与されたトナーを、該帯状体表面から離れる向きに移動させる力を生じさせる電界を付与する電界付与部とを備えたことを特徴とする画像形成装置。
【請求項２】
前記電荷付与部が、前記第１の像保持体と前記第２の像保持体との間のみでなく、該第１の像保持体から前記移動方向下流側に向かって前記第３の像保持体に至るまでの間の互いに隣接する像保持体どうしの間にそれぞれ設けられることにより、当該画像形成装置が複数の電荷付与部を備えたものであり、当該画像形成装置がさらに、前記複数の電荷付与部のうち、今回の画像形成に実際に使用される実使用像保持体のうちの前記移動方向最上流側に位置する実使用像保持体の該移動方向下流側に隣接する電荷付与部を作用させる電荷付与制御部を備えたことを特徴とする請求項１記載の画像形成装置。
【請求項３】
トナー像の形成を受けて形成されたトナー像を保持する、配列された複数の像保持体と、
前記複数の像保持体に沿って延在し、周回移動しながら該複数の像保持体上に保持されたトナー像の転写を受ける帯状体と、
前記複数の像保持体上に、各像保持体に応じた種類のトナーによるトナー像を形成する像形成部と、
前記複数の像保持体上にそれぞれ形成された複数のトナー像を前記帯状体上に順次重なるように転写する一次転写部と、
前記帯状体上に順次重なるように転写された複数のトナー像からなる重ね合わせトナー像を用紙上に転写する二次転写部と、
前記二次転写部により用紙上に転写された重ね合わせトナー像を該用紙上に定着する定着部と、
前記帯状体の前記複数の像保持体に沿って延在する部分の移動方向について前記複数の像保持体のうちで最下流側に位置する第３の像保持体のさらに下流側に設けられ、前記帯状体に転写されたトナー像を形成しているトナーのうちの該帯状体上で表層側に位置するトナーに対し電荷を付与する電荷付与部と、
前記帯状体の周回移動方向について、前記電荷付与部よりもさらに下流であって、かつ前記二次転写部よりも上流側において、前記複数の像保持体のうちの前記第３の像保持体を含む複数の像保持体上にそれぞれ形成されて前記帯状体上に重なるように転写された複数のトナー像からなる重ね合わせトナー像中の前記電荷付与部で電荷が付与されたトナーを、該帯状体表面に近づく向きに移動させる力を生じさせる電界を付与する電界付与部とを備えたことを特徴とする画像形成装置。
【請求項４】
前記電荷付与部が、前記第３の像保持体の下流側のみでなく、さらに、前記移動方向について前記複数の像保持体のうちで２番目に上流側に位置する第２の像保持体から該移動方向下流側に向かって前記第３の像保持体に至るまでの間の互いに隣接する像保持体どうしの間にそれぞれに設けられることにより、当該画像形成装置が複数の電荷付与部を備えたものであり、当該画像形成装置がさらに、前記複数の電荷付与部のうち、今回の画像形成に実際に使用される実使用像保持体のうちの前記移動方向最下流側に位置する実使用像保持体の該移動方向下流側に隣接する電荷付与部を作用させる電荷付与制御部を備えたことを特徴とする請求項３記載の画像形成装置。
【発明の詳細な説明】
【技術分野】
【０００１】
本発明は、画像形成装置に関する。
【背景技術】
【０００２】
特許文献１には、複数の色にそれぞれ対応する複数のトナー像を中間転写体上で重ね合わせる際にトナー像の位置ずれによって生じる色ズレを、２つの露光部によるレーザ走査のタイミングを制御することで抑制するカラー電子写真の画像形成装置が示されている。
【先行技術文献】
【特許文献】
【０００３】
【特許文献１】特開２０００−１６８１３５号公報
【発明の概要】
【発明が解決しようとする課題】
【０００４】
本発明は、画像上の色が狙った色からずれてしまうという色ズレの発生を抑制する画像形成装置を提供することを目的とする。
【課題を解決するための手段】
【０００５】
請求項１は、
トナー像の形成を受けて形成されたトナー像を保持する、配列された複数の像保持体と、
前記複数の像保持体に沿って延在し、周回移動しながら該複数の像保持体上に保持されたトナー像の転写を受ける帯状体と、
前記複数の像保持体上に、各像保持体に応じた種類のトナーによるトナー像を形成する像形成部と、
前記複数の像保持体上にそれぞれ形成された複数のトナー像を前記帯状体上に順次重なるように転写する一次転写部と、
前記帯状体上に順次重なるように転写された複数のトナー像からなる重ね合わせトナー像を用紙上に転写する二次転写部と、
前記二次転写部により用紙上に転写された重ね合わせトナー像を該用紙上に定着する定着部と、
前記帯状体の前記複数の像保持体に沿って延在する部分の移動方向について前記複数の像保持体のうちで最上流側に位置する第１の像保持体と、前記複数の像保持体のうちで２番目に上流側に位置する第２の像保持体との間に設けられ、前記帯状体に転写されたトナー像を形成しているトナーに対し電荷を付与する電荷付与部と、
前記帯状体の周回移動方向について、前記複数の像保持体のうちの前記移動方向最下流側に位置する第３の像保持体よりもさらに下流であって、かつ前記二次転写部よりも上流側において、前記複数の像保持体のうちの前記第１の像保持体を含む複数の像保持体上にそれぞれ形成されて前記帯状体上に重なるように転写された複数のトナー像からなる重ね合わせトナー像中の前記電荷付与部で電荷が付与されたトナーを、該帯状体表面から離れる向きに移動させる力を生じさせる電界を付与する電界付与部とを備えたことを特徴とする画像形成装置である。
【０００６】
請求項２は、請求項１の画像形成装置において、  前記電荷付与部が、前記第１の像保持体と前記第２の像保持体との間のみでなく、該第１の像保持体から前記移動方向下流側に向かって前記第３の像保持体に至るまでの間の互いに隣接する像保持体どうしの間にそれぞれ設けられることにより、当該画像形成装置が複数の電荷付与部を備えたものであり、当該画像形成装置がさらに、前記複数の電荷付与部のうち、今回の画像形成に実際に使用される実使用像保持体のうちの前記移動方向最上流側に位置する実使用像保持体の該移動方向下流側に隣接する電荷付与部を作用させる電荷付与制御部を備えたことを特徴とする。
【０００７】
請求項３は、
トナー像の形成を受けて形成されたトナー像を保持する、配列された複数の像保持体と、
前記複数の像保持体に沿って延在し、周回移動しながら該複数の像保持体上に保持されたトナー像の転写を受ける帯状体と、
前記複数の像保持体上に、各像保持体に応じた種類のトナーによるトナー像を形成する像形成部と、
前記複数の像保持体上にそれぞれ形成された複数のトナー像を前記帯状体上に順次重なるように転写する一次転写部と、
前記帯状体上に順次重なるように転写された複数のトナー像からなる重ね合わせトナー像を用紙上に転写する二次転写部と、
前記二次転写部により用紙上に転写された重ね合わせトナー像を該用紙上に定着する定着部と、
前記帯状体の前記複数の像保持体に沿って延在する部分の移動方向について前記複数の像保持体のうちで最下流側に位置する第３の像保持体のさらに下流側に設けられ、前記帯状体に転写されたトナー像を形成しているトナーのうちの該帯状体上で表層側に位置するトナーに対し電荷を付与する電荷付与部と、
前記帯状体の周回移動方向について、前記電荷付与部よりもさらに下流であって、かつ前記二次転写部よりも上流側において、前記複数の像保持体のうちの前記第３の像保持体を含む複数の像保持体上にそれぞれ形成されて前記帯状体上に重なるように転写された複数のトナー像からなる重ね合わせトナー像中の前記電荷付与部で電荷が付与されたトナーを、該帯状体表面に近づく向きに移動させる力を生じさせる電界を付与する電界付与部とを備えたことを特徴とする画像形成装置である。
【０００８】
請求項４は、請求項３の画像形成装置において、前記電荷付与部が、前記第３の像保持体の下流側のみでなく、さらに、前記移動方向について前記複数の像保持体のうちで２番目に上流側に位置する第２の像保持体から該移動方向下流側に向かって前記第３の像保持体に至るまでの間の互いに隣接する像保持体どうしの間にそれぞれに設けられることにより、当該画像形成装置が複数の電荷付与部を備えたものであり、当該画像形成装置がさらに、前記複数の電荷付与部のうち、今回の画像形成に実際に使用される実使用像保持体のうちの前記移動方向最下流側に位置する実使用像保持体の該移動方向下流側に隣接する電荷付与部を作用させる電荷付与制御部を備えたことを特徴とする。
【発明の効果】
【０００９】
請求項１および請求項３の画像形成装置によれば、電荷が付与されたトナーにより重ね合わせトナー像中でトナーの撹拌を行うことでトナーの重なり方向についてのトナーの均一化が図られており、画像上の色が狙った色からずれてしまうという色ズレが発生しにくい。
【００１０】
請求項２および請求項４の画像形成装置によれば、今回の画像形成に必要なトナーに加えて、トナーの撹拌のためだけのトナーを別途使用する必要がない。
【図面の簡単な説明】
【００１１】
【図１】第１実施形態の画像形成装置の全体構成図である。
【図２】トナーの撹拌の様子を表した図である。
【図３】第２実施形態の画像形成装置の全体構成図である。
【図４】第３実施形態の画像形成装置の全体構成図である。
【図５】第４実施形態の画像形成装置の全体構成図である。
【図６】第５実施形態の画像形成装置の全体構成図である。
【図７】図６のＹ色トナー用の多電極電荷付与部における多電極電源を表した図である。
【図８】第６実施形態の画像形成装置の全体構成図である。
【図９】第７実施形態の画像形成装置の全体構成図である。
【図１０】第８実施形態の画像形成装置の全体構成図である。
【図１１】第９実施形態の画像形成装置の全体構成図である。
【図１２】第１０実施形態の画像形成装置の全体構成図である。
【発明を実施するための形態】
【００１２】
以下、図面を参照して本発明の実施形態を説明する。
［第１実施形態］
図１は、第１実施形態の画像形成装置１０１の全体構成図である。
【００１３】
この図１に示す画像形成装置１０１は、イエロー（Ｙ）色、マゼンタ（Ｍ）色、シアン（Ｃ）色、および黒（Ｋ）色それぞれのトナーを用いてトナー像を形成するとともに、透明トナーを用いて、画像上の色が狙った色からずれてしまうという色ズレ（後述）の発生を抑制する機能を備えたカラーのプリンタである。この画像形成装置１０１は、透明トナーによるトナー像と、ＹＭＣＫ各色のトナーによるトナー像をそれぞれ形成する５台の画像形成エンジン２０Ｃｒ，２０Ｙ，２０Ｍ，２０Ｃ，２０Ｋが、用紙の搬送方向に沿って配置されたいわゆるタンデムタイプのプリンタである。ここで、この透明トナーは、一般の画像形成装置において画像に光沢を与える際に用いられる光沢付与用のトナーと同じものであってほぼ無色透明のトナーである。ただし、後述するように、この画像形成装置１０１では、この透明トナーを光沢付与とは別の目的で用いている。
【００１４】
画像形成エンジン２０Ｃｒ，２０Ｙ，２０Ｍ，２０Ｃ，２０Ｋには、図１の矢印Ｂｃｒ方向，矢印Ｂｙ方向，矢印Ｂｍ方向，矢印Ｂｃ方向，矢印Ｂｋ方向にそれぞれ回転する、電子写真方式用の積層型の像保持体２１Ｃｒ，２１Ｙ，２１Ｍ，２１Ｃ，２１Ｋがそれぞれ備えられている。また、画像形成エンジン２０Ｃｒ，２０Ｙ，２０Ｍ，２０Ｃ，２０Ｋには、像保持体２１Ｃｒ，２１Ｙ，２１Ｍ，２１Ｃ，２１Ｋの周囲に、帯電器２２Ｃｒ，２２Ｙ，２２Ｍ，２２Ｃ，２２Ｋ、露光部２３Ｃｒ，２３Ｙ，２３Ｍ，２３Ｃ，２３Ｋ、現像器２４Ｃｒ，２４Ｙ，２４Ｍ，２４Ｃ，２４Ｋ、１次転写ロール２５Ｃｒ，２５Ｙ，２５Ｍ，２５Ｃ，２５Ｋ、および、像保持体用クリーニング装置２６Ｃｒ，２６Ｙ，２６Ｍ，２６Ｃ，２６Ｋがそれぞれ設けられている。各画像形成エンジン内の像保持体は、各画像形成エンジン内の帯電器により、あらかじめ定められた電位に表面電位が達するように帯電される。そして、この帯電された像保持体に各画像形成エンジン内の露光部が、レーザ光により、回転する各像保持体の回転軸に沿った方向についてのラスタ走査を行うことで、電位分布による静電潜像が各像保持体上に形成される。この静電潜像に対し、帯電したトナーを含む現像剤中のトナーを、各画像形成エンジン内の現像器が静電的に付着させることで静電潜像が現像される。ここで、帯電器２２Ｃｒ，２２Ｙ，２２Ｍ，２２Ｃ，２２Ｋ、露光部２３Ｃｒ，２３Ｙ，２３Ｍ，２３Ｃ，２３Ｋ、および、現像器２４Ｃｒ，２４Ｙ，２４Ｍ，２４Ｃ，２４Ｋを合わせたものが、本発明にいう像形成部の一例に相当する。
【００１５】
また、図１の各画像形成エンジンの下側には、各画像形成エンジン内の像保持体に接する中間転写ベルト３０が設けられている。中間転写ベルト３０は、張架ロール３２その他の複数のロールに張架された状態で駆動ロール３１から駆動力を受けながら図１の矢印Ａ方向に循環移動する。この中間転写ベルト３０を挟んで像保持体２１Ｃｒ，２１Ｙ，２１Ｍ，２１Ｃ，２１Ｋに対向する位置には１次転写ロール２５Ｃｒ，２５Ｙ，２５Ｍ，２５Ｃ，２５Ｋがそれぞれ備えられている。この中間転写ベルト３０は、各像保持体上で形成された現像像の転写（１次転写）を受けて１次転写像を運搬する。なお、中間転写ベルト３０に転写されずに像保持体２１Ｃｒ，２１Ｙ，２１Ｍ，２１Ｃ，２１Ｋ上に残留したトナーは、像保持体用クリーニング装置２６Ｃｒ，２６Ｙ，２６Ｍ，２６Ｃ，２６Ｋによりそれぞれ除去される。ここで、この中間転写ベルト３０が、本発明にいう帯状体の一例に相当する。
【００１６】
また、透明トナー用の画像形成エンジン２０ＣｒとＹ色トナー用の画像形成エンジン２０Ｙとの間の中間転写ベルト３０に近接した位置には、透明トナー用の像剤保持体２１Ｃｒから中間転写ベルト３０上に１次転写されたトナー像中のトナーに電荷を付与する透明トナー電荷付与部７１Ｃｒが備えられている。この透明トナー電荷付与部７１Ｃｒが、本発明にいう電荷付与部の一例に相当する。さらに、中間転写ベルト３０の移動方向について５台の画像形成エンジン２０Ｃｒ，２０Ｙ，２０Ｍ，２０Ｃ，２０Ｋの下流側には、透明トナー電荷付与部７１Ｃｒにより電荷が付与された透明トナーに対し電界を付与する電界付与部８１が設けられている。この電界付与部８１が、本発明にいう電界付与部の一例に相当する。これら透明トナー電荷付与部７１Ｃｒおよび電界付与部８１の役割については後述する。
【００１７】
また、中間転写ベルト３０の移動方向について電界付与部８１よりも下流側には、バックアップロール３３、および、２次転写ロール４０が備えられており、中間転写ベルト３０は、バックアップロール３３により２次転写ロール４０に押し付けられている。また、この画像形成装置１０１には、用紙を収容するトレイ６０が備えられており、中間転写ベルト３０により２次転写ロール４０の位置まで運搬されてきた１次転写像は、２次転写ロール４０により、トレイ６０から取り出された用紙に２次転写される。また、画像形成装置１０１には、定着装置５０、および、中間転写ベルト用クリーニング装置７０が設けられている。定着装置５０は、用紙上に２次転写された未定着の２次転写像を用紙に定着させる処理を行うものであり、中間転写ベルト用クリーニング装置７０は、用紙上に２次転写されずに中間転写ベルト３０上に残留したトナーを除去するものである。また、この画像形成装置１０１には、画像形成装置１０１内の各部の制御を行う制御部６０１も設けられている。上述した透明トナー電荷付与部７１Ｃｒおよび電界付与部８１の制御もこの制御部６０１によって行われる。
【００１８】
次に、この画像形成装置１０１における画像形成の一連の動作について説明する。
【００１９】
制御部６０１は、まず、帯電器２２Ｃｒ，２２Ｙ，２２Ｍ，２２Ｃ，２２Ｋを制御して、像保持体２１Ｃｒ，２１Ｙ，２１Ｍ，２１Ｃ，２１Ｋをそれぞれ帯電させる。次に、制御部６０１は、露光部２３Ｃｒ，２３Ｙ，２３Ｍ，２３Ｃ，２３Ｋを制御して、静電潜像を、帯電した像保持体２１Ｃｒ，２１Ｙ，２１Ｍ，２１Ｃ，２１Ｋの上にそれぞれ形成させる。このとき、ＹＭＣＫ各色のトナー用の像保持体２１Ｙ，２１Ｍ，２１Ｃ，２１Ｋの上にそれぞれ形成される静電潜像は、用紙上に形成されるべき画像を表す画像データとして図１の画像形成装置１０１に入力される画像データに基づくものであるが、透明トナー用の像保持体２１Ｃｒ上に形成される静電潜像は、用紙の画像領域全域に出力される網点面積率１００％の画像（いわゆるベタ画像）を表す画像データに基づくものであり、あらかじめ画像形成装置１０１内の所定のメモリ（図１では不図示）に記憶されているものである。すなわち、この透明トナー用の画像データは、用紙上に形成されるべき画像を表す画像データとして図１の画像形成装置１０１に入力される画像データには依存しないものである。
【００２０】
像保持体２１Ｃｒ，２１Ｙ，２１Ｍ，２１Ｃ，２１Ｋ上にそれぞれ形成された静電潜像は、現像器２４Ｃｒ，２４Ｙ，２４Ｍ，２４Ｃ，２４Ｋによって、各画像形成エンジンに対応した種類のトナーを含む現像剤中のトナーでそれぞれ現像されて、透明トナーによる透明な現像像と、ＹＭＣＫ各色のトナーによるＹＭＣＫ各色の現像像とが形成される。このようにして各画像形成エンジンごとに形成された現像像は、各像保持体に対応した１次転写ロール２５Ｃｒ，２５Ｙ，２５Ｍ，２５Ｃ，２５Ｋにおいて、中間転写ベルト３０上に、順次転写（１次転写）されて重ね合わされていき、これにより、各画像形成エンジンごとの１次転写像からなる重ね合わせトナー像が形成される。ここで、この１次転写像の重ね合わせの過程では、透明トナー用の像剤保持体２１Ｃｒから中間転写ベルト３０上に１次転写されたトナー像については、制御部６０１が透明トナー電荷付与部７１Ｃｒを制御することでそのトナー像中の透明トナーに対し電荷が付与される。
【００２１】
重ね合わせトナー像は中間転写ベルト３０により運搬され、電界付与部８１の位置を通過する際に電界の付与を受けた後、２次転写ロール４０の位置に達する。透明トナー電荷付与部７１Ｃｒにおける電荷の付与と、その後の電界付与部８１における電界の付与の意義については後述する。
【００２２】
一方、上記のＹＭＣＫ各色のトナーおよび透明トナーによる１次転写像の形成と呼応してトレイ６０中の用紙が取り出される。取り出された用紙は、電界付与部８１の位置を通過したトナー像が中間転写ベルト３０により２次転写ロール４０の位置に達するのにタイミングを合わせて２次転写ロール４０の位置に送り出され、２次転写ロール４０によってこの用紙上にトナー像が転写（２次転写）される。そして、定着装置５０によって用紙上の２次転写像に定着処理が施され、不図示の排紙トレイ上に排出される。図１においては、トレイ６０から取り出されて不図示の排紙トレイ上に排出されるまでの用紙搬送路が、図１の右向きの点線矢印で示す経路で示されている。なお、用紙への２次転写後に中間転写ベルト３０上に残留したトナーは中間転写ベルト用クリーニング装置７０により除去される。
【００２３】
以上が、この画像形成装置１０１における画像形成の一連の動作についての説明である。
【００２４】
一般に、複数色のトナーによる複数の１次転写像を中間転写ベルト上で重ね合わせてなる重ね合わせトナー像をそのまま用紙に２次転写するタイプの画像形成装置では、重ね合わせトナー像を構成する複数層のトナーのうち、中間転写ベルトから遠い側の層のトナーほど中間転写ベルトから用紙に転写されやすく、中間転写ベルトに近い側の層のトナーほど中間転写ベルトから用紙に転写されにくいという傾向がある。
【００２５】
このため、こうしたタイプの画像形成装置では、２次転写不良が発生すると、用紙上の２次転写像において中間転写ベルトに近い側の層を構成する色のトナーが欠落してしまって最終的に用紙上に定着処理された定着像の色が本来意図した色と異なってしまうという、いわゆる色ズレの問題が生じる。
【００２６】
また、用紙に２次転写を行う際には、中間転写ベルトに遠い側の層を構成する色のトナーの一部が用紙の繊維の間に埋もれてしまうことがある。この現象は、粗い用紙を用いた場合に特に顕著である。このように中間転写ベルトに遠い側の層を構成する色のトナーの一部が用紙の繊維の間に埋もれてしまうと、用紙上の２次転写像において中間転写ベルトに遠い側の層を構成する色のトナーの一部が欠落したのと実質的に同じ事態となる。このときも、定着像の色が本来意図した色と異なってしまうという色ズレの問題が生じることとなる。
【００２７】
図１の画像形成装置１０１では、こうした色ズレの発生を抑制するため、２次転写前に、重ね合わせトナー像を構成するＹＭＣＫ各色のトナーを、その重ね合わせ方向について撹拌する処理を実行する。このＹＭＣＫ各色のトナーの撹拌は、図１に示す、透明トナー電荷付与部７１Ｃｒおよび電界付与部８１を用いて実行される。なお、ＹＭＣＫ色のトナーの撹拌を起こさせるために透明トナーを用いている理由は、透明トナーはほぼ無色透明であるため、用紙の画像領域全域に出力されても画像の見た目に及ぼす影響はきわめて小さいことによるものである。以下では、透明トナー電荷付与部７１Ｃｒおよび電界付与部８１について説明する。
【００２８】
透明トナー電荷付与部７１Ｃｒは、図１に対し垂直な方向（各像剤保持体の回転軸方向）に延びるワイヤ部７１２Ｃｒと、ワイヤ部７１２Ｃｒを取り囲むシールド部７１４Ｃｒ、中間転写ベルト３０を間においてワイヤ部７１２Ｃｒと対向する対向電極７１３Ｃｒ、および、ワイヤ部７１２Ｃｒに電圧を印加する電源７１１Ｃｒとで構成されている。ここで、対向電極７１３Ｃｒはグラウンド側に接地されており、シールド部７１４Ｃｒは不図示のシールド抵抗を介してグラウンド側に接地されている。
【００２９】
電源７１１Ｃｒにより、ワイヤ部７１２Ｃｒに電圧が印加されると、ワイヤ部７１２Ｃｒがコロナ放電によりイオンを生成し、生成したイオンの電荷が中間転写ベルト３０上の透明トナーに与えられることにより中間転写ベルト３０上の透明トナーが帯電する。このとき、シールド部７１４Ｃｒは、透明トナーに伝達されずにワイヤ部７１２Ｃｒの周囲に拡散する電荷を吸収する役割を果たす。
【００３０】
一方、電界付与部８１も、透明トナー電荷付与部７１Ｃｒと同様の構成を備えている。すなわち、電界付与部８１は、図１に対し垂直な方向に延びるワイヤ部８１２と、ワイヤ部８１２を取り囲むシールド部８１４、中間転写ベルト３０を間においてワイヤ部８１２と対向する対向電極８１３、ワイヤ部８１２に電圧を印加する電源８１１とで構成されている。ここで、対向電極８１３はグラウンド側に接地されており、シールド部８１４は不図示のシールド抵抗を介してグラウンド側に接地されている。
【００３１】
電界付与部８１内の電源８１１によりワイヤ部８１２に電圧が印加されることで、ワイヤ部８１２と対向電極８１３との間に電界が発生する。ここで、電源８１１によりワイヤ部８１２に印加される電圧は、透明トナー電荷付与部７１Ｃｒにより透明トナーに付与された電荷の極性とは逆極性の電圧である。このため、ワイヤ部８１２と対向電極８１３との間に発生した電界は、電界付与部８１の位置まで中間転写ベルト３０により運ばれてきた重ね合わせトナー像中の透明トナーに対し、電界付与部８１内のワイヤ部８１２に向かって引きつける静電力を生じさせる。
【００３２】
ここで、図１の画像形成装置１０１では、透明トナー用の像剤保持体２１Ｃｒから中間転写ベルト３０上に１次転写されたトナー像は、重ね合わせトナー像を構成するトナー像の中では、最下層すなわち中間転写ベルト３０に一番近い層のトナー像である。このため、上述の静電力を受けた重ね合わせトナー像中の透明トナーは、上層のＹＭＣＫ色のトナーを押しのけるようにして中間転写ベルト３０から離れる方向に移動する。この結果、トナーの重なり方向についてＹＭＣＫ色のトナーが撹拌されることとなる。
【００３３】
図２は、トナーの撹拌の様子を表した図である。
【００３４】
図２には、ＣＭＹ色のトナーによるトナー像と透明トナーによるトナー像との重ね合わせからなる重ね合わせトナー像を例として、このトナー像が中間転写ベルト３０に運搬されて電界付与部８１の位置を通過する前後の様子が示されている。ここで、図２のパート（ａ）は、電界付与部８１の位置を通過する前の状態を観察したときの図であり、図２のパート（ｂ）は、電界付与部８１の位置を通過した後の状態を観察したときの図である。図２のパート（ａ）に示すように、電界付与部８１の位置を通過する前では、最上層のＣ色のトナーのみが現れており、Ｍ色およびＹ色のトナーを見出すことはできない。一方、図２のパート（ｂ）に示すように、電界付与部８１の位置を通過した後では、Ｃ色のトナーに加え、Ｍ色およびＹ色のトナーも現れており、ＣＭＹ色のトナーが撹拌されていることがわかる。
【００３５】
図１の画像形成装置１０１では、このように、電荷が付与された透明トナーにより重ね合わせトナー像中でトナーの撹拌を行うことでトナーの均一化が図られている。このため、この画像形成装置１０１では、２次転写不良が発生したときや粗い用紙を用いたときでも色ズレが発生しにくくなっている。
【００３６】
また、この画像形成装置１０１では、重ね合わせトナー像に対し電界を付与するにあたり、重ね合わせトナー像に直接に接触しない非接触方式の電界付与部８１を用いることで、電荷が付与された透明トナーが電界付与時に移動しやすくなっている。
【００３７】
以下では、この画像形成装置１０１における色ズレ抑制の効果について、具体的な実験を用いて説明する。
【００３８】
この実験では、まず、図１の画像形成装置１０１において、透明トナー、Ｙ色のトナー、Ｍ色のトナーに対応する像保持体上に、各現像器内における帯電量が−４０［μＣ／ｇ］の、透明トナー、Ｙ色のトナー、およびＭ色のトナーを用いて網点面積率１００％のトナー像を作成する。そして、これら３つのトナー像が中間転写ベルト３０上で互いに重ね合わされるように１次転写し、さらに用紙上への２次転写を経て最終的に用紙上に定着処理後の画像を形成する。そして、形成した用紙上の画像について測色器による測定を行い、Ｌａｂ色空間の座標値で表現したこの画像の色度を求める。
【００３９】
この画像形成の過程において、中間転写ベルト３０への１次転写直後の各トナー像における各トナーの帯電量は−４５［μＣ／ｇ］である。ここで、透明トナーによるトナー像については、１次転写後に、図１の透明トナー電荷付与部７１Ｃｒにおけるワイヤ部７１２Ｃｒに−４ｋｖの電圧が印加されることで生成されたマイナスイオンの負電荷が透明トナーに与えられ、透明トナーの帯電量は−６０［μＣ／ｇ］にまで増加する。さらに、この画像形成の過程では、帯電量が−６０［μＣ／ｇ］の透明トナーからなるトナー像と、帯電量がそれぞれ−４５［μＣ／ｇ］のＹ色のトナーからなるトナー像と、帯電量がそれぞれ−４５［μＣ／ｇ］のＭ色のトナーからなるトナー像との重ね合わせ画像に対し、電界付与部８１において電界が付与される。この電界は、電界付与部８１内のワイヤ部８１２に＋３ｋｖの電圧が印加されることで発生するものである。
【００４０】
さらに、この実験では、図１の画像形成装置１０１から透明トナー電荷付与部７１Ｃｒおよび電界付与部８１を取り外した画像形成装置を用いて、透明トナー、Ｙ色のトナー、Ｍ色のトナーによる上述の画像を用紙上に形成し、形成した用紙上の画像について測色器による測定を行う。そして、Ｌａｂ色空間の座標値で表現したこの画像の色度を求め、上述した、透明トナー電荷付与部７１Ｃｒおよび電界付与部８１を有する画像形成装置を用いて形成した画像から得られた色度との差分の大きさを算出する。
【００４１】
この実験の結果、色度の差分の大きさが２．４という結果が得られた。この結果から、透明トナー電荷付与部７１Ｃｒや電界付与部８１が存在しない場合よりも、図１の画像形成装置１０１では色域が拡大していることがわかる。これは、透明トナー電荷付与部７１Ｃｒや電界付与部８１による透明トナーを用いたトナーの撹拌により、最終的な用紙上の画像において特定の色のトナーの欠落、すなわち、色ズレが起こりにくくなったことに起因するものと考えられる。
［第２実施形態］
次に、第２実施形態について説明する。
【００４２】
図３は、第２実施形態の画像形成装置１０２の全体構成図である。
【００４３】
図３に示す第２実施形態の画像形成装置１０２が、図１に示す第１実施形態の画像形成装置１０１と異なる点は、第１実施形態の画像形成装置１０１では、図１に示す制御部６０１が非接触型の電界付与部８１を制御して重ね合わせトナー像に電界を付与していたのに代えて、第２実施形態の画像形成装置１０２では、図３に示す制御部６０２が接触型の電界付与部８２を制御して重ね合わせトナー像に電界を付与する点である。この点を除き、第２実施形態の画像形成装置１０２の構成および動作は、第１実施形態の画像形成装置１０１の構成および動作と同じであり、同一の構成要素について同一の符号を付してその重複説明は省略する。
【００４４】
以下、相違点である図３に示す電界付与部８２に焦点を絞って説明する。
【００４５】
電界付与部８２は、図１に対し垂直な方向に延びるロール状の電界付与電極ロール８２２．中間転写ベルト３０を間に挟んで電界付与ロール８２２と対向する対向電極ロール８２３、および、電界付与電極ロール８２２に電圧を印加する電源８２１とで構成されている。ここで、対向電極ロール８２３はグラウンド側に接地されており、対向電極ロール８２３と電界付与ロール８２２とは、中間転写ベルト３０に接触した状態で中間転写ベルト３０の移動に従動して回転する。
【００４６】
図３の電界付与部８２内の電源８２１により電界付与ロール８２２に電圧が印加されることで、電界付与ロール８２２と対向電極ロール８２３との間に電界が発生する。ここで、電源８２１により印加される電圧は、図３の透明トナー電荷付与部７１Ｃｒにより透明トナーに付与された電荷の極性とは逆極性の電圧である。このため、電界付与ロール８２２と対向電極ロール８２３との間に発生した電界は、電界付与部８２の位置まで中間転写ベルト３０により運ばれてきた重ね合わせトナー像中の透明トナーに対し、電界付与部８１中の電界付与ロール８２２に向かって引きつける静電力を生じさせる。これにより、第１実施形態で説明したのと同様にして、透明トナーにより上層のＹＭＣＫ色のトナーに対する撹拌が実現し、色ズレの発生が抑制される。
【００４７】
また、この画像形成装置１０２では、重ね合わせトナー像に対し電界を付与する際に直接に重ね合わせトナー像に接触する接触方式の電界付与部８２を用いることで、非接触方式による電界付与の場合と比べると電界付与時において透明トナーが多少移動しにくくなっているが、非接触方式による電界付与の場合よりも電界付与時における透明トナーの飛び散りが起こりにくくなっている。
【００４８】
この第２実施形態の画像形成装置１０２を用いて、第１実施形態で説明したのと同様の実験を行った。ただし、この実験では、重ね合わせトナー像に印加される電界は、図３の電界付与ロール８２２に＋１ｋｖの電圧が印加されることで発生する電界であり、この点のみが第１実施形態で説明した実験とは異なる。
【００４９】
この実験の結果、透明トナー電荷付与部７１Ｃｒおよび電界付与部８２が存在する場合と存在しない場合とで色度の差分の大きさが１．５という結果が得られた。この結果から、各多電極電荷付与部および電界付与部８２が存在しない場合よりも、図３の画像形成装置１０２では色域が拡大していることがわかる。これは、トナーの撹拌により、最終的な用紙上の画像において特定の色のトナーの欠落、すなわち、色ズレが起こりにくくなったことに起因するものと考えられる。
［第３実施形態］
次に、第３実施形態について説明する。
【００５０】
図４は、第３実施形態の画像形成装置１０３の全体構成図である。
【００５１】
図４に示す第３実施形態の画像形成装置１０３が、図１に示す第１実施形態の画像形成装置１０１と異なる点は、第１実施形態の画像形成装置１０１ではトナーの撹拌のために透明トナーが用いられていたのに対し、第３実施形態の画像形成装置１０３ではトナーの撹拌のためにＹ色トナーが用いられる点である。このため、第３実施形態の画像形成装置１０３では透明トナーは不要であり、図１の透明トナー用の画像形成エンジン２０Ｃｒや透明トナーを帯電させるための透明トナー電荷付与部７１Ｃｒは存在しない。その代わりに、第３実施形態の画像形成装置１０３では、Ｙ色トナーを帯電させるＹ色トナー電荷付与部７１Ｙが存在しており、図４に示す制御部６０３は、このＹ色トナー電荷付与部７１Ｙを用いて、トナーの撹拌のためにＹ色トナーの帯電を行わせる。この点を除き、第３実施形態の画像形成装置１０３の構成および動作は、第１実施形態の画像形成装置１０１の構成および動作と同じであり、同一の構成要素について同一の符号を付してその重複説明は省略する。
【００５２】
以下、第３実施形態の画像形成装置１０３での画像形成時におけるトナーの撹拌の流れについて説明する。
【００５３】
図４に示す第３実施形態の画像形成装置１０３では、制御部６０３は、帯電器２２Ｙ，２２Ｍ，２２Ｃ，２２Ｋを制御して、像保持体２１Ｙ，２１Ｍ，２１Ｃ，２１Ｋをそれぞれ帯電させ、さらに、露光部２３Ｙ，２３Ｍ，２３Ｃ，２３Ｋを制御して、静電潜像を、帯電した像保持体２１Ｙ，２１Ｍ，２１Ｃ，２１Ｋの上にそれぞれ形成させる。このとき、ＭＣＫ各色のトナー用の像保持体２１Ｍ，２１Ｃ，２１Ｋの上にそれぞれ形成される静電潜像は、用紙上に形成されるべき画像を表す画像データとして図１の画像形成装置１０１に入力される画像データに基づくものである。一方、Ｙ色トナー用の像保持体２１Ｙ上に形成される静電潜像は、この画像データに基づく静電潜像と、あらかじめ画像形成装置１０１の所定のメモリ（図４では不図示）に記憶され所定のドット画像を表す画像データに基づく静電潜像とを合わせたものである。ここで、前者の静電潜像は、用紙上に形成されるべき画像のＹ成分の画像に対応する静電潜像である。一方、後者の静電潜像で表される所定のドット画像は、用紙の画像領域全域にわたって出力されるものであるが、最終的に用紙上で形成される画像中では視認しにくい画像であり、画像を形成した画像形成装置を特定する情報を担うものである。
【００５４】
図４に示す第３実施形態の画像形成装置１０３でも、図１に示す第１実施形態の画像形成装置１０１と同様に、像保持体２１Ｙ，２１Ｍ，２１Ｃ，２１Ｋ上にそれぞれ形成された静電潜像は、現像器２４Ｙ，２４Ｍ，２４Ｃ，２４Ｋによって、各画像形成エンジンに対応した種類のトナーを含む現像剤中のトナーでそれぞれ現像され、１次転写ロール２５Ｙ，２５Ｍ，２５Ｃ，２５Ｋにおいて、中間転写ベルト３０上に、順次転写（１次転写）されて重ね合わされていき、これにより、各画像形成エンジンごとの１次転写像からなる重ね合わせトナー像が形成される。ここで、第３実施形態の画像形成装置１０３では、この１次転写像の重ね合わせの過程で、Ｙ色トナー用の像剤保持体２１Ｙから中間転写ベルト３０上に１次転写されたトナー像については、制御部６０３がＹ色トナー電荷付与部７１Ｙを制御することでそのトナー像中のＹ色トナーに対し電荷が付与される。このＹ色トナー電荷付与部７１Ｙは、図３に対し垂直な方向（各像剤保持体の回転軸方向）に延びるワイヤ部７１２Ｙと、ワイヤ部７１２Ｙを取り囲むシールド部７１４Ｙ、中間転写ベルト３０を間においてワイヤ部７１２Ｙと対向する対向電極７１３Ｙ、および、ワイヤ部７１２Ｙに電圧を印加する電源７１１Ｙとで構成されている。これら電源７１１Ｙ、ワイヤ部７１２Ｙ、対向電極７１３Ｙ、およびシールド部７１４Ｙは、図１の透明トナー電荷付与部７１Ｃｒを構成する、電源７１１Ｃｒ、ワイヤ部７１２Ｃｒ、対向電極７１３Ｃｒ、およびシールド部７１４Ｃｒとそれぞれ同じものであり、ここでは、その重複説明は省略する。
【００５５】
上述の重ね合わせトナー像は、中間転写ベルト３０により運搬され、電界付与部８１の位置を通過する際に、電界付与部８１により付与された電界により、重ね合わせトナー像中のＹ色トナーは、電界付与部８１中のワイヤ部８１２に向かって引きつける静電力を受ける。Ｙ色トナーは、上層のＭＣＫ色のトナーを押しのけるようにして中間転写ベルト３０から離れる方向に移動する。この結果、ＹＭＣＫ色のトナーが撹拌されることとなる。このＹＭＣＫ色のトナーが撹拌以降の流れについては、第１実施形態と同じであるので、その重複説明は省略する。
【００５６】
第３実施形態の画像形成装置１０３では、このようにＹ色トナーによりＭＣＫ色のトナーに対する撹拌が実現し、色ズレの発生が抑制される。
【００５７】
この第３実施形態の画像形成装置１０３を用いて、透明トナーを使用しない点を除き第１実施形態で説明したのと同様の実験を行った。すなわち、図４の画像形成装置１０３において、Ｙ色トナーおよびＭ色トナーに対応する像保持体上に、各現像器内における帯電量が−４０［μＣ／ｇ］の、Ｙ色トナーおよびＭ色トナーを用いて網点面積率１００％のトナー像をそれぞれ作成し、中間転写ベルト３０上で互いに重ね合わされるように１次転写し、さらに用紙上への２次転写を経て最終的に用紙上に定着処理後の画像を形成した。そして、形成した用紙上の画像について測色器による測定を行い、Ｌａｂ色空間の座標値で表現したこの画像の色度を求めた。
【００５８】
この画像形成の過程においては、第１実施形態で説明したのと同様に、中間転写ベルト３０への１次転写直後の各トナー像における各トナーの帯電量は−４５［μＣ／ｇ］であり、Ｙ色トナーによるトナー像については、１次転写後に、図４のＹ色トナー電荷付与部７１Ｙにより負電荷がＹ色トナーに与えられることでＹ色トナーの帯電量は−６０［μＣ／ｇ］にまで増加する。さらに、この画像形成の過程では、帯電量が−６０［μＣ／ｇ］のＹ色トナーからなるトナー像と、帯電量がそれぞれ−４５［μＣ／ｇ］のＭ色トナーからなるトナー像との重ね合わせ画像に対し、電界付与部８１において電界が付与される。この電界は、電界付与部８１内のワイヤ部８１２に＋３ｋｖの電圧が印加されることで発生するものである。
【００５９】
さらに、図３の画像形成装置１０１からＹ色トナー電荷付与部７１Ｙおよび電界付与部８１を取り外した画像形成装置を用いて、Ｙ色トナーおよびＭ色トナーによる上述の画像を用紙上に形成し、形成した用紙上の画像について測色器による測定を行った。そして、Ｌａｂ色空間の座標値で表現したこの画像の色度を求め、上述した、Ｙ色トナー電荷付与部７１Ｙおよび電界付与部８１を有する画像形成装置を用いて形成した画像から得られた色度との差分の大きさを算出した。
【００６０】
この実験の結果、色度の差分の大きさが０．２という結果が得られた。この結果から、Ｙ色トナー電荷付与部７１Ｙや電界付与部８１が存在しない場合よりも、図４の画像形成装置１０３では色域が拡大していることがわかる。これは、Ｙ色トナー電荷付与部７１Ｙや電界付与部８１による透明トナーを用いたトナーの撹拌により、最終的な用紙上の画像において特定の色のトナーの欠落、すなわち、色ズレが起こりにくくなったことに起因するものと考えられる。
［第４実施形態］
次に、第４実施形態について説明する。
【００６１】
図５は、第４実施形態の画像形成装置１０４の全体構成図である。
【００６２】
図５に示す第４実施形態の画像形成装置１０４が、図４に示す第３実施形態の画像形成装置１０３と異なる点は、第３実施形態の画像形成装置１０３では、図４に示す制御部６０４が非接触型の電界付与部８１を制御して重ね合わせトナー像に電界を付与していたのに代えて、第４実施形態の画像形成装置１０４では、図５に示す制御部６０４が接触型の電界付与部８２を制御して重ね合わせトナー像に電界を付与する点である。この点を除き、第４実施形態の画像形成装置１０４の構成および動作は、第３実施形態の画像形成装置１０３の構成および動作と同じであり、同一の構成要素について同一の符号を付してその重複説明は省略する。また、第３実施形態の画像形成装置１０３との相違点である図５の電界付与部８２は、図３に示す第２実施形態の画像形成装置１０２における電界付与部８２と同じものである。そこで、その重複説明は省略する。
【００６３】
第４実施形態の画像形成装置１０４でも、第３実施形態の画像形成装置１０３と同様に、Ｙ色トナーによりＹＭＣＫ色のトナー全体の撹拌が実現し、色ズレの発生が抑制されることとなる。
【００６４】
この第４実施形態の画像形成装置１０４を用いて、第３実施形態で説明したのと同様の実験を行った。ただし、この実験では、重ね合わせトナー像に印加される電界は、図５の電界付与ロール８２２に＋１ｋｖの電圧が印加されることで発生する電界であり、この点のみが第３実施形態で説明した実験とは異なる。
【００６５】
この実験の結果、Ｙ色トナー電荷付与部７１Ｙおよび電界付与部８２が存在する場合と存在しない場合とで色度の差分の大きさが０．２という結果が得られた。この結果から、Ｙ色トナー電荷付与部７１Ｙおよび電界付与部８２が存在しない場合よりも、図５の画像形成装置１０４では色域が拡大していることがわかる。これは、トナーの撹拌により、最終的な用紙上の画像において特定の色のトナーの欠落、すなわち、色ズレが起こりにくくなったことに起因するものと考えられる。
［第５実施形態］
次に、第５実施形態について説明する。
【００６６】
図５は、第５実施形態の画像形成装置１０５の全体構成図である。
【００６７】
図５に示す第５実施形態の画像形成装置１０５が、図１に示す第１実施形態の画像形成装置１０１と異なる点は、第１実施形態の画像形成装置１０１ではトナーの撹拌のために透明トナーが用いられていたのに対し、第５実施形態の画像形成装置１０５ではこうしたトナーの撹拌のためのトナーを別途用意せずに、中間転写べルト３０上の重ね合わせトナー像中で最下層となる色のトナーを求めその最下層となる色のトナーに帯電を行う点である。この点を除き、第５実施形態の画像形成装置１０５の構成および動作は、第１実施形態の画像形成装置１０１の構成および動作と同じであり、同一の構成要素について同一の符号を付してその重複説明は省略する。
【００６８】
上述したように、第５実施形態の画像形成装置１０５では、最下層となるトナーを画像中の各箇所ごとに求めその最上層となるトナーに帯電を行うため、図１に示す第１実施形態の画像形成装置１０１で用いられている透明トナーは不要であり、図１の透明トナー用の画像形成エンジン２０Ｃｒや透明トナーを帯電させるための透明トナー電荷付与部７１Ｃｒは存在しない。その代わりに、第５実施形態の画像形成装置１０５では、Ｙ色トナー用の画像形成エンジン２０ＹとＭ色トナー用の画像形成エンジン２０Ｍとの間、Ｍ色トナー用の画像形成エンジン２０ＭとＣ色トナー用の画像形成エンジン２０Ｃとの間、および、色トナー用の画像形成エンジン２０ＣとＫ色トナー用の画像形成エンジン２０Ｋとの間に、Ｙ色トナーを帯電させる多電極電荷付与部７３Ｙ、Ｍ色トナーを帯電させる多電極電荷付与部７３Ｍ、および、Ｃ色トナーを帯電させる多電極電荷付与部７３Ｃをそれぞれ備えている。なお、Ｋ色トナーについては、重ね合わせトナー像がＫ色トナーによるトナー像のみの単層構成となっているときを除き、重ね合わせトナー像中でＫ色トナーが最上層のトナーとなることは起こり得ないので、図５に示す第５実施形態の画像形成装置１０５では中間転写べルト３０上でＫ色トナーを帯電させる機構は設けられていない。
【００６９】
以下、多電極電荷付与部７３Ｙ，７３Ｍ，７３Ｃについて説明する。電極電荷付与部７３Ｙ，７３Ｍ，７３Ｃは、多電極電源７３１Ｙ，７３１Ｍ，７３１Ｃと、中間転写ベルト３０を間において多電極電源７３１Ｙ，７３１Ｍ，７３１Ｃとそれぞれ対向する対向電極７３３Ｙ，７３３Ｍ，７３３Ｃとによりそれぞれ構成されており、これら３つの電極電荷付与部７３Ｙ，７３Ｍ，７３Ｃは、ハードウェアとしては互いに同一のものである。ここで、３つの対向電極７３３Ｙ，７３３Ｍ，７３３Ｃは、図６に垂直な方向に延びた板状の金属製の部材であり、いずれも接地されている。一方、３つの多電極電源７３１Ｙ，７３１Ｍ，７３１Ｃは複数の電極により構成されているものであり、以下では、Ｙ色トナー用の多電極電源７３１Ｙを代表させて多電極電源について説明する。
【００７０】
図７は、図６のＹ色トナー用の多電極電荷付与部７３Ｙにおける多電極電源７３１Ｙを表した図である。
【００７１】
図７に示す多電極電源７３１Ｙは、電極７３１０が一列に並んだ構成を有しており、この電極７３１０が並んでいる方向が、図６では図に対して垂直な方向に相当する。多電極電源７３１Ｙは、一列に並んだ電極７３１０のうちのいずれかに選択的に電圧を印加することができ、電圧が印加された電極７３１０はコロナ放電によりイオンを生成する。生成したイオンの電荷が、この電圧印加の時点において、電圧が印加された電極７３１０に対向する位置に運搬されてきた、Ｙ色トナーによるトナー像中の画素に与えられることにより、その画素を構成するトナーがトナー像全体の中で選択的に帯電することとなる。
【００７２】
次に、第５実施形態の画像形成装置１０５での画像形成時におけるトナーの撹拌の流れについて説明する。
【００７３】
第５実施形態の画像形成装置１０５では、図６に示す制御部６０５は、帯電器２２Ｙ，２２Ｍ，２２Ｃ，２２Ｋを制御して、像保持体２１Ｙ，２１Ｍ，２１Ｃ，２１Ｋをそれぞれ帯電させ、さらに、露光部２３Ｙ，２３Ｍ，２３Ｃ，２３Ｋを制御して、静電潜像を、帯電した像保持体２１Ｙ，２１Ｍ，２１Ｃ，２１Ｋの上にそれぞれ形成させる。このとき、ＹＭＣＫ各色のトナー用の像保持体２１Ｙ，２１Ｍ，２１Ｃ，２１Ｋの上にそれぞれ形成される静電潜像は、用紙上に形成されるべき画像を表す画像データとして図１の画像形成装置１０１に入力される画像データに基づくものである。像保持体２１Ｙ，２１Ｍ，２１Ｃ，２１Ｋ上にそれぞれ形成された静電潜像は、現像器２４Ｙ，２４Ｍ，２４Ｃ，２４Ｋによって、各画像形成エンジンに対応した色のトナーを含む現像剤中のトナーでそれぞれ現像され、１次転写ロール２５Ｙ，２５Ｍ，２５Ｃ，２５Ｋにおいて、中間転写ベルト３０上に、順次転写（１次転写）されて重ね合わされていき、これにより、各画像形成エンジンごとの１次転写像からなる重ね合わせトナー像が形成される。ここで、制御部６０５は、各色のトナーによるトナー像の１次転写に先立ち、上記の画像データを解析することにより、仮に重ね合わせトナー像が形成されたとしたときにどの色のトナーがその重ね合わせトナー像中で最下層の色のトナーとなるかを、その重ね合わせトナー像を構成する画素ごとに把握している。そして、各色のトナーによるトナー像が中間転写ベルト３０上に１次転写されたときには、制御部６０５は、ＹＭＣ色用の各多電極電荷付与部を制御することで、その１次転写されたトナー像において、重ね合わせトナー像形成時に重ね合わせトナー像中で最下層のトナー層となることになる画素部分のトナーに対し、選択的に電荷を付与させる。このような制御部６０５の制御の結果、中間転写ベルト３０上の重ね合わせトナー像においては、最下層を構成するＹＭＣ各色トナーについてトナーの帯電が行われることとなる。
【００７４】
上述の重ね合わせトナー像は、中間転写ベルト３０により運搬され、電界付与部８１の位置を通過する際に、電界付与部８１により付与された電界により、重ね合わせトナー像中で最下層を構成するＹＭＣ各色トナーは、電界付与部８１中のワイヤ部８１２に向かって引きつける静電力を受ける。この静電力により、最下層を構成するＹＭＣ各色トナーは、上層の他の色のトナーを押しのけるようにして中間転写ベルト３０から離れる方向に移動する。この結果、ＹＭＣＫ色のトナー全体の撹拌が行われることとなる。この撹拌以降の流れについては、第１実施形態と同じであるので、その重複説明は省略する。
【００７５】
第５実施形態の画像形成装置１０５では、このように最下層を構成する各色トナーによりＹＭＣＫ色のトナーに対する撹拌が実現し、色ズレの発生が抑制されることとなる。
【００７６】
さらに、この第５実施形態の画像形成装置１０５では、今回の画像形成に必要なトナーに加えて、第１実施形態の画像形成装置１０１における透明トナーのような、トナーの撹拌のためだけのトナーを別途使用する必要がないという長所も存在している。
【００７７】
この第５実施形態の画像形成装置１０５を用いて、透明トナーを使用しない点を除き第１実施形態で説明したのと同様の実験を行った。すなわち、図６の画像形成装置１０５において、Ｙ色トナーおよびＭ色トナーに対応する像保持体上に、各現像器内における帯電量が−４０［μＣ／ｇ］の、Ｙ色トナーおよびＭ色トナーを用いて網点面積率１００％のトナー像をそれぞれ作成し、中間転写ベルト３０上で互いに重ね合わされるように１次転写し、さらに用紙上への２次転写を経て最終的に用紙上に定着処理後の画像を形成した。そして、形成した用紙上の画像について測色器による測定を行い、Ｌａｂ色空間の座標値で表現したこの画像の色度を求めた。
【００７８】
この画像形成の過程においては、第１実施形態で説明したのと同様に、中間転写ベルト３０への１次転写直後の各トナー像における各トナーの帯電量は−４５［μＣ／ｇ］であり、中間転写ベルト３０上の重ね合わせトナー画像のいずれの画素部分でも最下層となるＹ色トナーについては、１次転写後に、図６のＹ色トナー用の多電極電荷付与部７３Ｙにより負電荷がＹ色トナーに与えられることでＹ色トナーの帯電量は−５５［μＣ／ｇ］にまで増加する。さらに、この画像形成の過程では、帯電量が−５５［μＣ／ｇ］のＹ色トナーからなるトナー像と、帯電量がそれぞれ−４５［μＣ／ｇ］のＭ色トナーからなるトナー像との重ね合わせ画像に対し、電界付与部８１において電界が付与される。この電界は、電界付与部８１内のワイヤ部８１２に＋３ｋｖの電圧が印加されることで発生するものである。
【００７９】
さらに、図６の画像形成装置１０５から各多電極電荷付与部および電界付与部８１を取り外した画像形成装置を用いて、Ｙ色トナーおよびＭ色トナーによる上述の画像を用紙上に形成し、形成した用紙上の画像について測色器による測定を行った。そして、Ｌａｂ色空間の座標値で表現したこの画像の色度を求め、上述した、各多電極電荷付与部および電界付与部８１を有する画像形成装置を用いて形成した画像から得られた色度との差分の大きさを算出した。
【００８０】
この実験の結果、色度の差分の大きさが１．２という結果が得られた。この結果から、各多電極電荷付与部および電界付与部８１が存在しない場合よりも、図６の画像形成装置１０５では色域が拡大していることがわかる。これは、Ｙ色トナー用の多電極電荷付与部７３Ｙや電界付与部８１によるトナーの撹拌により、最終的な用紙上の画像において特定の色のトナーの欠落、すなわち、色ズレが起こりにくくなったことに起因するものと考えられる。
［第６実施形態］
次に、第６実施形態について説明する。
【００８１】
図８は、第６実施形態の画像形成装置１０６の全体構成図である。
【００８２】
図８に示す第６実施形態の画像形成装置１０６が、図６に示す第５実施形態の画像形成装置１０５と異なる点は、第５実施形態の画像形成装置１０５では、図６に示す制御部６０６が非接触型の電界付与部８１を制御して重ね合わせトナー像に電界を付与していたのに代えて、第６実施形態の画像形成装置１０６では、図８に示す制御部６０６が接触型の電界付与部８２を制御して重ね合わせトナー像に電界を付与する点である。この点を除き、第６実施形態の画像形成装置１０６の構成および動作は、第５実施形態の画像形成装置１０５の構成および動作と同じであり、同一の構成要素について同一の符号を付してその重複説明は省略する。また、第５実施形態の画像形成装置１０５との相違点である図８の電界付与部８２は、図３に示す第２実施形態の画像形成装置１０２における電界付与部８２と同じものである。そこで、その重複説明は省略する。
【００８３】
第６実施形態の画像形成装置１０６でも、第５実施形態の画像形成装置１０５と同様に、中間転写ベルト３０上で最下層の色のトナーによりＹＭＣＫ色のトナー全体の撹拌が実現し、色ズレの発生が抑制されることとなる。
【００８４】
この第６実施形態の画像形成装置１０６を用いて、第５実施形態で説明したのと同様の実験を行った。ただし、この実験では、重ね合わせトナー像に印加される電界は、図８の電界付与ロール８２２に＋１ｋｖの電圧が印加されることで発生する電界であり、この点のみが第５実施形態で説明した実験とは異なる。
【００８５】
この実験の結果、各多電極電荷付与部および電界付与部８２が存在する場合と存在しない場合とで色度の差分の大きさが１．０という結果が得られた。この結果から、各多電極電荷付与部および電界付与部８２が存在しない場合よりも、図８の画像形成装置１０６では色域が拡大していることがわかる。これは、トナーの撹拌により、最終的な用紙上の画像において特定の色のトナーの欠落、すなわち、色ズレが起こりにくくなったことに起因するものと考えられる。
［第７実施形態］
次に、第７実施形態について説明する。
【００８６】
図９は、第７実施形態の画像形成装置１０７の全体構成図である。
【００８７】
図９に示す第７実施形態の画像形成装置１０７が、図１に示す第１実施形態の画像形成装置１０１と異なる点は２つあり、１つは、第７実施形態の画像形成装置１０７における透明トナー用の画像形成エンジン２０Ｃｒは、図９に示す５つの画像形成エンジン２０Ｙ，２０Ｍ，２０Ｃ，２０Ｋ，２０Ｃｒのうちで一番左側に位置し、中間転写ベルト３０上の重ね合わせトナー像中で最上層となるトナー像を形成する点である。
【００８８】
もう１つの異なる点は、第７実施形態の画像形成装置１０７における制御部６０７が電界付与部８１の電源８１１を制御して、透明トナー電荷付与部７１Ｃｒにより透明トナーに付与された電荷の極性と同じ極性の電圧をワイヤ部８１２に印加する点である。
【００８９】
これらの点を除き、第６実施形態の画像形成装置１０６の構成および動作は、第１実施形態の画像形成装置１０１の構成および動作と同じであり、同一の構成要素について同一の符号を付してその重複説明は省略する。
【００９０】
第７実施形態の画像形成装置１０７では、上述の電界付与部８１に対する制御部６０７の制御により、中間転写ベルト３０上の重ね合わせトナー像が電界付与部８１の位置を通過する際には、重ね合わせトナー像中で最上層の透明トナーは、ワイヤ部８１２から中間転写ベルト３０表面に向かう向きの静電力を受ける。この静電力を受けた透明トナーは、下層のＹＭＣＫ色のトナーを押しのけるようにして中間転写ベルト３０表面に向かって移動する。この結果、ＹＭＣＫ色のトナー全体の撹拌が行われることとなり、色ズレの発生が抑制される。
【００９１】
この第７実施形態の画像形成装置１０７を用いて、第７実施形態で説明したのと同様の実験を行った。すなわち、図９の画像形成装置１０７において、Ｙ色トナー、Ｍ色トナー、透明トナーに対応する像保持体上に、各現像器内における帯電量が−４０［μＣ／ｇ］の、Ｙ色トナー、Ｍ色トナー、透明トナーを用いて網点面積率１００％のトナー像を作成し、中間転写ベルト３０上で互いに重ね合わされるように１次転写し、さらに用紙上への２次転写を経て最終的に用紙上に定着処理後の画像を形成した。そして、形成した用紙上の画像について測色器による測定を行い、Ｌａｂ色空間の座標値で表現したこの画像の色度を求めた。
【００９２】
この画像形成の過程においては、第１実施形態で説明したのと同様に、中間転写ベルト３０への１次転写直後の各トナー像における各トナーの帯電量は−４５［μＣ／ｇ］であり、透明トナーによるトナー像については、１次転写後に、図１の透明トナー電荷付与部７１Ｃｒにより負電荷が透明トナーに与えられることで透明トナーの帯電量は−６０［μＣ／ｇ］にまで増加する。さらに、この画像形成の過程では、帯電量がそれぞれ−４５［μＣ／ｇ］のＹ色トナーからなるトナー像と、帯電量がそれぞれ−４５［μＣ／ｇ］のＭ色トナーからなるトナー像と、帯電量が−６０［μＣ／ｇ］の透明トナーからなるトナー像との重ね合わせ画像に対し、電界付与部８１において電界が付与される。この電界は、電界付与部８１内のワイヤ部８１２に−３ｋｖの電圧が印加されることで発生するものである。
【００９３】
さらに、図９の画像形成装置１０７から透明トナー電荷付与部７１Ｃｒおよび電界付与部８１を取り外した画像形成装置を用いて、Ｙ色トナー、Ｍ色トナー、および透明トナーによる上述の画像を用紙上に形成し、形成した用紙上の画像について測色器による測定を行った。そして、Ｌａｂ色空間の座標値で表現したこの画像の色度を求め、上述した、透明トナー電荷付与部７１Ｃｒおよび電界付与部８１を有する画像形成装置を用いて形成した画像から得られた色度との差分の大きさを算出した。
【００９４】
この実験の結果、色度の差分の大きさが１．８という結果が得られた。この結果から、透明トナー電荷付与部７１Ｃｒや電界付与部８１が存在しない場合よりも、図２の画像形成装置１０２では色域が拡大していることがわかる。これは、透明トナー電荷付与部７１Ｃｒや電界付与部８１による透明トナーを用いたトナーの撹拌により、最終的な用紙上の画像において特定の色のトナーの欠落、すなわち、色ズレが起こりにくくなったことに起因するものと考えられる。
［第８実施形態］
次に、第８実施形態について説明する。
【００９５】
図１０は、第８実施形態の画像形成装置１０８の全体構成図である。
【００９６】
図１０に示す第８実施形態の画像形成装置１０８が、図９に示す第７実施形態の画像形成装置１０７と異なる点は、第７実施形態の画像形成装置１０７では、図９に示す制御部６０７が非接触型の電界付与部８１を制御して重ね合わせトナー像に電界を付与していたのに代えて、第８実施形態の画像形成装置１０８では、図１０に示す制御部６０８が接触型の電界付与部８２を制御して重ね合わせトナー像に電界を付与する点である。この点を除き、第８実施形態の画像形成装置１０８の構成および動作は、第７実施形態の画像形成装置１０７の構成および動作と同じであり、同一の構成要素について同一の符号を付してその重複説明は省略する。また、第７実施形態の画像形成装置１０７との相違点である電界付与部８２は、図３に示す第２実施形態の画像形成装置１０２における電界付与部８２と同じものである。そこで、その重複説明は省略する。
【００９７】
第８実施形態の画像形成装置１０８でも、第７実施形態の画像形成装置１０７と同様に
透明トナーによりＹＭＣＫ色のトナー全体の撹拌が実現し、色ズレの発生が抑制される。
【００９８】
この第８実施形態の画像形成装置１０８を用いて、第７実施形態で説明したのと同様の実験を行った。ただし、この実験では、重ね合わせトナー像に印加される電界は、図１０の電界付与ロール８２２に−１ｋｖの電圧が印加されることで発生する電界であり、この点のみが第７実施形態で説明した実験とは異なる。
【００９９】
この実験の結果、透明トナー電荷付与部７１Ｃｒおよび電界付与部８２が存在する場合と存在しない場合とで色度の差分の大きさが１．４という結果が得られた。この結果から、透明トナー電荷付与部７１Ｃｒおよび電界付与部８２が存在しない場合よりも、図１０の画像形成装置１０８では色域が拡大していることがわかる。これは、トナーの撹拌により、最終的な用紙上の画像において特定の色のトナーの欠落、すなわち、色ズレが起こりにくくなったことに起因するものと考えられる。
［第９実施形態］
次に、第９実施形態について説明する。
【０１００】
図１１は、第９実施形態の画像形成装置１０９の全体構成図である。
【０１０１】
図１１に示す第９実施形態の画像形成装置１０９が、図６に示す第５実施形態の画像形成装置１０５と異なる点は３つある。１つ目の異なる点は、第９実施形態の画像形成装置１０９では、中間転写ベルト３０上に１次転写されたＹ色のトナーによるトナー像の各箇所に対し選択的に電荷を付与する多電極電荷付与部７１Ｙが存在しない代わりに中間転写ベルト３０上に１次転写されたＫ色のトナーによるトナー像の各箇所に対し選択的に電荷を付与する多電極電荷付与部７１Ｋが存在する点である。
【０１０２】
２つ目の異なる点は、図１１の制御部６０９は、ＭＣＫ色用の各多電極電荷付与部を制御することで、１次転写されたＭＣＫ各色のトナー像において、重ね合わせトナー像形成時に重ね合わせトナー像中で最上層のトナー層となることになる画素部分のトナーに対し、選択的に電荷を付与させる点である。
【０１０３】
３つ目の異なる点は、第９実施形態の画像形成装置１０９における制御部６０９は、電界付与部８１の電源８１１を制御して、各多電極電荷付与部により各色のトナーに付与された電荷の極性と同じ極性の電圧をワイヤ部８１２に印加する点である。
【０１０４】
これらの異なる点を除き、第９実施形態の画像形成装置１０９の構成および動作は、第５実施形態の画像形成装置１０５の構成および動作と同じであり、同一の構成要素について同一の符号を付してその重複説明は省略する。
【０１０５】
第９実施形態の画像形成装置１０９では、各色のトナーによるトナー像の１次転写に先立ち、制御部６０９が、用紙上に形成されるべき画像を表す画像データとして画像形成装置１０９に入力される画像データを解析することにより、仮に中間転写ベルト３０上で重ね合わせトナー像が形成されたとしたときにどの色のトナーがその重ね合わせトナー像中で最上層の色のトナーとなるかを、その重ね合わせトナー像を構成する画素ごとに把握している。そして、ＣＭＫ各色のトナーによるトナー像が中間転写ベルト３０上に１次転写されたときには、制御部６０９は、電極電荷付与部７３Ｍ，７３Ｃ，７３Ｋを制御することで、その１次転写されたトナー像において、重ね合わせトナー像形成時に重ね合わせトナー像中で最上層のトナー層となることになる画素部分のトナーに対し、選択的に電荷を付与させる。このような制御部６０９の制御の結果、中間転写ベルト３０上の重ね合わせトナー像においては、最上層を構成するＣＭＫ各色トナーについてトナーの帯電が行われることとなる。そして、重ね合わせトナー像が中間転写ベルト３０により運搬され電界付与部８１の位置を通過する際には、電界付与部８１により付与された電界により、重ね合わせトナー像中で最上層を構成するＣＭＫ各色トナーは、中間転写ベルト３０表面に向かう静電力を受ける。この静電力により、最上層を構成するＣＭＫ各色トナーは、下層の他の色のトナーを押しのけるようにして中間転写ベルト３０に向かって移動する。この結果、ＹＭＣＫ色のトナー全体が撹拌されることとなる。このＹＭＣＫ色のトナーが撹拌以降の流れについては、第１実施形態と同じであるので、その重複説明は省略する。
【０１０６】
第９実施形態の画像形成装置１０９では、このように最上層を構成するＣＭＫ各色トナーによりＹＭＣＫ色のトナー全体の撹拌が実現し、色ズレの発生が抑制されることとなる。
【０１０７】
この第９実施形態の画像形成装置１０９を用いて、透明トナーを使用しない点を除き第１実施形態で説明したのと同様の実験を行った。すなわち、図１１の画像形成装置１０９において、Ｙ色トナーおよびＭ色トナーに対応する像保持体上に、各現像器内における帯電量が−４０［μＣ／ｇ］の、Ｙ色トナーおよびＭ色トナーを用いて網点面積率１００％のトナー像をそれぞれ作成し、中間転写ベルト３０上で互いに重ね合わされるように１次転写し、さらに用紙上への２次転写を経て最終的に用紙上に定着処理後の画像を形成した。そして、形成した用紙上の画像について測色器による測定を行い、Ｌａｂ色空間の座標値で表現したこの画像の色度を求めた。
【０１０８】
この画像形成の過程においては、第１実施形態で説明したのと同様に、中間転写ベルト３０への１次転写直後の各トナー像における各トナーの帯電量は−４５［μＣ／ｇ］であり、中間転写ベルト３０上の重ね合わせトナー画像のいずれの画素部分でも最上層となるＭ色トナーについては、１次転写後に、図１１のＭ色トナー用の多電極電荷付与部７３Ｍにより負電荷がＭ色トナーに与えられることでＭ色トナーの帯電量は−５５［μＣ／ｇ］にまで増加する。さらに、この画像形成の過程では、帯電量が−４５［μＣ／ｇ］のＹ色トナーからなるトナー像と、帯電量がそれぞれ−５５［μＣ／ｇ］のＭ色トナーからなるトナー像との重ね合わせ画像に対し、電界付与部８１において電界が付与される。この電界は、電界付与部８１内のワイヤ部８１２に−３ｋｖの電圧が印加されることで発生するものである。
【０１０９】
さらに、図１１の画像形成装置１０５から各多電極電荷付与部および電界付与部８１を取り外した画像形成装置を用いて、Ｙ色トナーおよびＭ色トナーによる上述の画像を用紙上に形成し、形成した用紙上の画像について測色器による測定を行った。そして、Ｌａｂ色空間の座標値で表現したこの画像の色度を求め、上述した、各多電極電荷付与部および電界付与部８１を有する画像形成装置を用いて形成した画像から得られた色度との差分の大きさを算出した。
【０１１０】
この実験の結果、色度の差分の大きさが１．２という結果が得られた。この結果から、各多電極電荷付与部および電界付与部８１が存在しない場合よりも、図１１の画像形成装置１０９では色域が拡大していることがわかる。これは、Ｍ色トナー用の多電極電荷付与部７３Ｍや電界付与部８１によるトナーの撹拌により、最終的な用紙上の画像において特定の色のトナーの欠落、すなわち、色ズレが起こりにくくなったことに起因するものと考えられる。
［第１０実施形態］
次に、第１０実施形態について説明する。
【０１１１】
図１２は、第１０実施形態の画像形成装置１１０の全体構成図である。
【０１１２】
図１２に示す第１０実施形態の画像形成装置１１０が、図１１に示す第９実施形態の画像形成装置１０９と異なる点は、第９実施形態の画像形成装置１０９では、図１１に示す制御部６０９が非接触型の電界付与部８１を制御して重ね合わせトナー像に電界を付与していたのに代えて、第１０実施形態の画像形成装置１１０では、図１２に示す制御部６１０が接触型の電界付与部８２を制御して重ね合わせトナー像に電界を付与する点である。この点を除き、第１０実施形態の画像形成装置１１０の構成および動作は、第９実施形態の画像形成装置１０９の構成および動作と同じであり、同一の構成要素について同一の符号を付してその重複説明は省略する。また、第９実施形態の画像形成装置１０９との相違点である図１２の電界付与部８２は、図３に示す第２実施形態の画像形成装置１０２における電界付与部８２と同じものである。そこで、その重複説明は省略する。
【０１１３】
第１０実施形態の画像形成装置１１０でも、第９実施形態の画像形成装置１０９と同様に、中間転写ベルト３０上で最上層の色のトナーによりＹＭＣＫ色のトナーに対する撹拌が実現し、色ズレの発生が抑制されることとなる。
【０１１４】
この第１０実施形態の画像形成装置１１０を用いて、第９実施形態で説明したのと同様の実験を行った。ただし、この実験では、重ね合わせトナー像に印加される電界は、図１２の電界付与ロール８２２に−１ｋｖの電圧が印加されることで発生する電界であり、この点のみが第９実施形態で説明した実験とは異なる。
【０１１５】
この実験の結果、各多電極電荷付与部および電界付与部８２が存在する場合と存在しない場合とで色度の差分の大きさが０．９という結果が得られた。この結果から、各多電極電荷付与部および電界付与部８２が存在しない場合よりも、図１２の画像形成装置１１０では色域が拡大していることがわかる。これは、トナーの撹拌により、最終的な用紙上の画像において特定の色のトナーの欠落、すなわち、色ズレが起こりにくくなったことに起因するものと考えられる。
【０１１６】
以上が、本発明の第１実施形態〜第１０実施形態の説明である。
【０１１７】
以上の説明においては、カラーの片面出力プリンタを例として説明したが、本発明の画像形成装置は、カラーの両面出力プリンタに適用されてもよい。また、プリンタ以外にも、コピー機やファックス機に適用されてもよい。
【符号の説明】
【０１１８】
１１０，１１０，１１０，１１０，１０９  画像形成装置
１１０，１０７，１０８，１０９，１１０  画像形成装置
２０Ｙ，２０Ｙ，２０Ｍ，２０Ｃ，２０Ｋ  画像形成エンジン
２１Ｙ，２１Ｙ，２１Ｍ，２１Ｃ，２１Ｋ  像保持体
２２Ｙ，２２Ｙ，２２Ｍ，２２Ｃ，２２Ｋ  帯電器
２３Ｙ，２３Ｙ，２３Ｍ，２３Ｃ，２３Ｋ  露光部
２４Ｙ，２４Ｙ，２４Ｍ，２４Ｃ，２４Ｋ  現像器
２５Ｙ，２５Ｙ，２５Ｍ，２５Ｃ，２５Ｋ  １次転写ロール
２６Ｙ，２６Ｙ，２６Ｍ，２６Ｃ，２６Ｋ  像保持体用クリーニング装置
３０  中間転写ベルト
３１  駆動ロール
３２  張架ロール
３３  バックアップロール
４０  ２次転写ロール
５０  定着装置
６０  トレイ
６０１，６０２，６０５，６０６，６０５  制御部
６０６，６０７，６０８，６０９，６１０  制御部
７０  中間転写ベルト用クリーニング装置
７１Ｃｒ  透明トナー電荷付与部
７１Ｙ  Ｙ色トナー電荷付与部
７１１Ｃｒ，７１１Ｙ  電源
７１２Ｃｒ，７１２Ｙ  ワイヤ部
７１３Ｃｒ，７１３Ｙ  対向電極
７１４Ｃｒ，７１４Ｙ  シールド部
７３Ｍ，７３Ｍ，７３Ｃ，７３Ｋ  多電極電荷付与部
７３１Ｙ，７３１Ｍ，７３１Ｃ，７３１Ｋ  多電極電源
７３１０  電極
７３３Ｙ，７３３Ｍ，７３３Ｃ，７３３Ｋ  対向電極
８１  電界付与部
８１１  電源
８１２  ワイヤ部
８１３  対向電極
８１４  シールド部
８２  電界付与部
８２１  電源
８２２  電圧印加ロール
８２３  対向電極ロール
【図１】
2014085381.tif 000003
【図２】
2014085381.tif 000004
【図３】
2014085381.tif 000005
【図４】
2014085381.tif 000006
【図５】
2014085381.tif 000007
【図６】
2014085381.tif 000008
【図７】
2014085381.tif 000009
【図８】
2014085381.tif 000010
【図９】
2014085381.tif 000011
【図１０】
2014085381.tif 000012
【図１１】
2014085381.tif 000013
【図１２】
2014085381.tif 000014